(57)【要約】      （修正有）【課題】複数の発電機の発電電力を調整することにより、供給電力の電圧を適正に調整し、電力品質の管理を行うことができる電力監視制御システムを提供する。【解決手段】電力監視制御システムは、供給電力を送配電設備に出力する複数の発電機の出力有効無効電力特性データに基づき、単位時間ごとの供給有効電力および供給無効電力を予測し、複数の発電機ごとの発電有効電力予測データおよび発電無効電力予測データを作成し、送信する発電側電力監視制御装置２と、受信した各データに基づき、送配電設備における供給電力の電圧を充足する、単位時間ごとの供給無効電力を予測し、発電無効電力リクエストデータを作成し送信する送電側電力監視制御装置３とを有する。発電側電力監視制御装置２は、受信した発電無効電力リクエストデータに基づき、発電有効電力予測データおよび発電無効電力予測データを更新し、送信する。【選択図】図１
2020014297.tif 000002
【特許請求の範囲】
【請求項１】
供給電力を送配電設備に出力する複数の発電機の出力有効無効電力特性データに基づき、
単位時間ごとの供給有効電力を予測し、前記複数の発電機ごとの発電有効電力予測データを作成し、
単位時間ごとの供給無効電力を予測し、前記複数の発電機ごとの発電無効電力予測データを作成し、
前記発電有効電力予測データおよび前記発電無効電力予測データを送信する、
発電側電力監視制御装置と、
前記発電側電力監視制御装置から送信された前記発電有効電力予測データに基づき、前記送配電設備における前記供給電力の電圧を充足する、単位時間ごとの前記供給無効電力を予測し、発電無効電力リクエストデータを作成し送信する、
送電側電力監視制御装置と、を有し、
前記発電側電力監視制御装置は、前記送電側電力監視制御装置から送信された前記発電無効電力リクエストデータに基づき、前記発電有効電力予測データおよび前記発電無効電力予測データを更新し、前記送電側電力監視制御装置に送信する、
電力監視制御システム。
【請求項２】
前記送電側電力監視制御装置は、前記複数の発電機の前記出力有効無効電力特性データに基づき前記複数の発電機ごとに発電無効電力リクエストデータを作成する、
請求項１に記載の電力監視制御システム。
【請求項３】
前記発電側電力監視制御装置は、前記複数の発電機の前記出力有効無効電力特性データを、前記送電側電力監視制御装置に送信する、
請求項２に記載の電力監視制御システム。
【請求項４】
前記発電側電力監視制御装置は、
過去の供給有効電力の実績に基づき、単位時間ごとの供給有効電力を予測し、前記発電有効電力予測データを作成し、
過去の供給無効電力の実績に基づき、単位時間ごとの供給無効電力を予測し、前記発電無効電力予測データを作成する、
請求項１乃至３のいずれか１項に記載の電力監視制御システム。
【請求項５】
前記発電側電力監視制御装置は、
制御対象となる前記複数の発電機の発電状況に応じ、単位時間ごとの供給有効電力を予測し、前記複数の発電機ごとの発電有効電力予測データを作成または更新し、
制御対象となる前記複数の発電機の発電状況に応じ、単位時間ごとの供給無効電力を予測し、前記複数の発電機ごとの発電無効電力予測データを作成または更新する、
請求項１乃至４のいずれか１項に記載の電力監視制御システム。
【請求項６】
前記送電側電力監視制御装置は、
前記発電無効電力リクエストデータに基づく電力と、前記発電側電力監視制御装置から送信された前記発電有効電力予測データおよび前記発電無効電力予測データに基づく電力との、電力コストの差分を算出し、前記電力コストの差分が予め設定された値以上の場合、前記発電無効電力リクエストデータを更新して前記発電側電力監視制御装置に送信する、
請求項１乃至５のいずれか１項に記載の電力監視制御システム。
【請求項７】
供給電力を送配電設備に出力する複数の発電機の出力有効無効電力特性データに基づき、
単位時間ごとの供給有効電力を予測し、前記複数の発電機ごとの発電有効電力予測データを作成し、
単位時間ごとの供給無効電力を予測し、前記複数の発電機ごとの発電無効電力予測データを作成し、
前記発電有効電力予測データおよび前記発電無効電力予測データを、送配電設備の制御を行う送電側電力監視制御装置に送信し、
前記送電側電力監視制御装置から送信された、前記送配電設備における前記供給電力の電圧を充足する、単位時間ごとの前記供給無効電力の予測にかかる発電無効電力リクエストデータを受信し、
前記発電無効電力リクエストデータに基づき、前記発電有効電力予測データおよび発電無効電力予測データを更新し、前記送電側電力監視制御装置に送信する、
発電側電力監視制御装置。
【請求項８】
前記発電無効電力リクエストデータは、前記送電側電力監視制御装置により、前記複数の発電機の前記出力有効無効電力特性データに基づき、前記複数の発電機ごとに作成された、
請求項７に記載の発電側電力監視制御装置。
【請求項９】
前記複数の発電機の前記出力有効無効電力特性データを、前記送電側電力監視制御装置に送信する、
請求項８に記載の発電側電力監視制御装置。
【請求項１０】
過去の供給有効電力の実績に基づき、単位時間ごとの供給有効電力を予測し、前記発電有効電力予測データを作成し、
過去の供給無効電力の実績に基づき、単位時間ごとの供給無効電力を予測し、前記発電無効電力予測データを作成する、
請求項７乃至９のいずれか１項に記載の発電側電力監視制御装置。
【請求項１１】
制御対象となる前記複数の発電機の発電状況に応じ、単位時間ごとの供給有効電力を予測し、前記複数の発電機ごとの発電有効電力予測データを作成または更新し、
制御対象となる前記複数の発電機の発電状況に応じ、単位時間ごとの供給無効電力を予測し、前記複数の発電機ごとの発電無効電力予測データを作成または更新する、
請求項７乃至１０のいずれか１項に記載の発電側電力監視制御装置。
【請求項１２】
前記発電無効電力リクエストデータに基づく電力と、前記発電有効電力予測データおよび前記発電無効電力予測データに基づく電力との、電力コストの差分が、予め設定された値以上であると前記送電側電力監視制御装置により判断された場合に、更新された前記発電無効電力リクエストデータを受信し、さらに発電有効電力予測データおよび発電無効電力予測データを更新して前記送電側電力監視制御装置に送信する、
請求項７乃至１１のいずれか１項に記載の発電側電力監視制御装置。
【請求項１３】
発電設備の制御を行う発電側電力監視制御装置から送信された、
単位時間ごとの供給有効電力を予測して作成された、前記複数の発電機ごとの発電有効電力予測データ、および単位時間ごとの供給無効電力を予測して作成された、前記複数の発電機ごとの発電無効電力予測データを受信し、
受信した前記発電有効電力予測データに基づき、送配電設備における供給電力の電圧を充足する、単位時間ごとの前記供給無効電力を予測し、発電無効電力リクエストデータを作成し、前記発電側電力監視制御装置に送信し、
送信した前記発電無効電力リクエストデータに基づき、前記発電側電力監視制御装置により更新された、前記発電有効電力予測データおよび発電無効電力予測データを受信する、
送電側電力監視制御装置。
【請求項１４】
前記送電側電力監視制御装置は、前記複数の発電機の前記出力有効無効電力特性データに基づき前記複数の発電機ごとに発電無効電力リクエストデータを作成する、
請求項１３に記載の送電側電力監視制御装置。
【請求項１５】
前記複数の発電機の前記出力有効無効電力特性データは、前記発電側電力監視制御装置から送信される、
請求項１４に記載の送電側電力監視制御装置。
【請求項１６】
前記発電側電力監視制御装置により、
前記発電有効電力予測データは、過去の供給有効電力の実績に基づき、単位時間ごとの供給有効電力を予測して作成され、
前記発電無効電力予測データは、過去の供給無効電力の実績に基づき、単位時間ごとの供給無効電力を予測して作成される、
請求項１３乃至１５のいずれか１項に記載の送電側電力監視制御装置。
【請求項１７】
前記発電側電力監視制御装置により、
前記発電有効電力予測データは、制御対象となる前記複数の発電機の発電状況に応じ、単位時間ごとの供給有効電力が予測され、前記複数の発電機ごとに作成または更新され、
前記発電無効電力予測データは、制御対象となる前記複数の発電機の発電状況に応じ、単位時間ごとの供給無効電力が予測され、前記複数の発電機ごとに作成または更新される、
請求項１３乃至１６のいずれか１項に記載の送電側電力監視制御装置。
【請求項１８】
前記発電無効電力リクエストデータに基づく電力と、前記発電側電力監視制御装置から送信された前記発電有効電力予測データおよび前記発電無効電力予測データに基づく電力との、電力コストの差分を算出し、前記電力コストの差分が予め設定された値以上の場合、前記発電無効電力リクエストデータを更新して前記発電側電力監視制御装置に送信する、
請求項１３乃至１７のいずれか１項に記載の送電側電力監視制御装置。
【発明の詳細な説明】
【技術分野】
【０００１】
本実施形態は、供給電力の電圧を適正に調整し、電力品質の管理を行う電力監視制御システム、発電側電力監視制御装置および送電側電力監視制御装置に関する。
【背景技術】
【０００２】
電力系統には、電力供給線の供給電力を調整する電力監視制御システムが設置される。この種の電力監視制御システムとして、電力供給線への供給電力を調整し電力コストを最小化する電力監視制御システムが知られている。
【先行技術文献】
【特許文献】
【０００３】
【特許文献１】特開２０１４−１４３８３５号公報
【発明の概要】
【発明が解決しようとする課題】
【０００４】
従来の電力監視制御システムでは、供給電力の電力品質を確保したうえで、複数の発電機を配分して発電電力を調整し、電力コストが最小化となるように電力監視制御を行うことが一般的であった。しかしながら、昨今の電力自由化により、発電事業者と送配電事業者が分離され、よりきめ細かな電力品質の管理が必要とされるようになった。
【０００５】
電力供給線から需要家に供給する電力の電力品質を確保するために、送配電事業者は、独自に自社の送配電設備を制御し、供給電力の電圧の調整を行っている。
【０００６】
しかし、送配電事業者による送配電設備の制御は離散的な制御となるため、送配電設備の送配電事業者による制御のみでは、きめ細かな電圧の調整を行うには、限界があるとの問題点があった。また、電力制御を行うにあたり、無効電力の発生源となる負荷や設備の近傍にて、発電機により無効電力を注入して、電圧の調整を行うことが望ましい。
【０００７】
このため、複数の発電機の発電電力を発電事業者にて調整することにより、供給電力の電圧の調整を行うことが望ましいといえる。
【０００８】
本実施形態は、複数の発電機の発電電力を調整することにより、供給電力の電圧を適正に調整し、より適切な電力品質の管理を行うことができる電力監視制御システム、発電側電力監視制御装置および送電側電力監視制御装置を提供することを目的とする。
【課題を解決するための手段】
【０００９】
本実施形態の電力監視制御システムは、次のような特徴を有する。
（１）供給電力を送配電設備に出力する複数の発電機の出力有効無効電力特性データに基づき、単位時間ごとの供給有効電力を予測し、前記複数の発電機ごとの発電有効電力予測データを作成する、発電側電力監視制御装置を有する。
（２）前記発電側電力監視制御装置から送信された前記発電有効電力予測データに基づき、前記送配電設備における前記供給電力の電圧を充足する、単位時間ごとの前記供給無効電力を予測し、発電無効電力リクエストデータを作成し送信する、送電側電力監視制御装置を有する。
（３）前記発電側電力監視制御装置は、前記送電側電力監視制御装置から送信された前記発電無効電力リクエストデータに基づき、前記発電有効電力予測データおよび前記発電無効電力予測データを更新し、前記送電側電力監視制御装置に送信する。
【図面の簡単な説明】
【００１０】
【図１】第１実施形態にかかる電力監視制御システムを示す図
【図２】第１実施形態にかかる電力監視制御システムにおけるデータの流れを示す図
【図３】第１実施形態にかかる発電側電力監視装置のプログラムのフローを示す図
【図４】第１実施形態にかかる送電側電力監視装置のプログラムのフローを示す図
【図５】第１実施形態にかかる発電機の配分の例を示す図
【図６】第１実施形態にかかる電圧変動の例を示す図
【図７】第１実施形態にかかる電圧制御の例を示す図
【図８】第１実施形態にかかる電力制御の例を示す図
【図９】第１実施形態にかかる有効、無効電力の発電量の配分の例を示す図
【発明を実施するための形態】
【００１１】
［第１実施形態］
［１−１．構成］
図１を参照して本実施形態の一例としての電力監視制御システム１について説明する。
【００１２】
（１）システムの全体構成
本電力監視制御システム１は、発電側電力監視制御装置２、送電側電力監視制御装置３を有する。発電側電力監視制御装置２、送電側電力監視制御装置３は、伝送線５により接続される。
【００１３】
発電側電力監視制御装置２は、発電事業者が所有する発電設備６に接続される。発電設備６は、発電事業者が所有する水力発電機、火力発電機、原子力発電機等の電力を発電する設備である。発電設備６は、発電機ごとに発電量を発電側電力監視制御装置２により制御される。発電設備６は、電力供給線９に接続される。
【００１４】
送電側電力監視制御装置３は、送配電事業者が所有する送配電設備７に接続される。送配電設備７は、送配電事業者が所有する変圧器、調相器等の電力を送配電する設備である。送配電設備７は、出力電力を送電側電力監視制御装置３により制御される。送配電設備７は、電力供給線９に接続される。
【００１５】
発電設備６により発電された電力は、送配電設備７を介し、電力供給線９により負荷８に供給される。
【００１６】
電力監視制御システム１において、以下のデータ、コマンドが作成、送受信または記憶される。
データＧ：出力有効無効電力特性データ
データＰ：発電有効電力予測データ
データＱ：発電無効電力予測データ
データＲ：発電無効電力リクエストデータ
データＣ：許容コストデータ
コマンドＡ：了解コマンド
【００１７】
（２）発電側電力監視制御装置２の構成
発電側電力監視制御装置２は、コンピュータ等により構成される。発電側電力監視制御装置２は、発電設備６の監視制御を行う電力監視制御盤等に組込まれ発電事業者の制御室等に配置される。発電側電力監視制御装置２は、発電設備６の発電機ごとの発電量を制御する。
【００１８】
発電側電力監視制御装置２は、発電状況を監視し、発電設備６の発電機ごとのデータＧ（出力有効無効電力特性データ）に基づき、単位時間ごとの供給有効電力を予測しデータＰ（発電有効電力予測データ）、単位時間ごとの供給無効電力を予測しデータＱ（発電無効電力予測データ）を作成し、送電側電力監視制御装置３に送信する。
【００１９】
また、発電側電力監視制御装置２は、送電側電力監視制御装置３からのデータＲ（発電無効電力リクエストデータ）に基づき、データＰ（発電有効電力予測データ）、データＱ（発電無効電力予測データ）を更新し送電側電力監視制御装置３に送信する。
【００２０】
発電側電力監視制御装置２は、入出力部２１、入力部２２、送受信部２３、記憶部２４、出力部２５、演算部２６を有する。
【００２１】
（入出力部２１）
入出力部２１は、ローカル通信またはインターネット等の通信回線との送受信回路により構成される。入出力部２１の一方は、演算部２６に接続される。入出力部２１の他方は、伝送線を介し発電設備６に接続される。入出力部２１は、発電設備６から発電機ごとの発電状況にかかる電文を受信し演算部２６に出力する。入出力部２１は、演算部２６からの発電機ごとの発電量を制御する電文を、発電設備６に送信する。
【００２２】
（入力部２２）
入力部２２は、キーボードやマウス等の操作部を有する入力装置により構成される。入力部２２は、演算部２６に接続される。入力部２２は、発電側電力監視制御装置２の一部として、発電事業者の制御室等に配置される。入力部２２は、作業者により操作され、データＧ（出力有効無効電力特性データ）が入力される。
【００２３】
（送受信部２３）
送受信部２３は、ローカル通信またはインターネット等の通信回線との送受信回路により構成される。送受信部２３の一方は、演算部２６に接続される。送受信部２３の他方は、伝送線５を介し送電側電力監視制御装置３に接続される。送受信部２３は、演算部２６からのデータＧ（出力有効無効電力特性データ）、データＰ（発電有効電力予測データ）、データＱ（発電無効電力予測データ）を、送電側電力監視制御装置３に送信する。送受信部２３は、送電側電力監視制御装置３からデータＲ（発電無効電力リクエストデータ）を受信し演算部２６に出力する。
【００２４】
（記憶部２４）
記憶部２４は、半導体メモリやハードディスクのような記憶媒体にて構成される。記憶部２４は、演算部２６に接続される。記憶部２４は演算部２６により、データＧ（出力有効無効電力特性データ）、データＰ（発電有効電力予測データ）、データＱ（発電無効電力予測データ）の書込み読出しが制御される。
【００２５】
（出力部２５）
出力部２５は、液晶パネル等により構成された表示装置、プリンタ等の印刷装置またはインターネット等の通信回線との送受信回路等により構成される。出力部２５は、演算部２６に接続される。出力部２５は、演算部２６に制御され、表示、印刷または電文によりデータＧ（出力有効無効電力特性データ）、データＰ（発電有効電力予測データ）、データＱ（発電無効電力予測データ）を出力する。
【００２６】
（演算部２６）
演算部２６は、マイクロコンピュータにより構成される。演算部２６は、後述するコンピュータプログラムを内蔵する。演算部２６は、入出力部２１、入力部２２、送受信部２３、記憶部２４、出力部２５に接続される。演算部２６は、以下の演算および制御を行う。
【００２７】
（Ａ）入出力部２１に対する制御
演算部２６は、入出力部２１を制御し、発電設備６から発電機ごとの発電状況にかかる電文を受信する。演算部２６は、入出力部２１を制御し、発電機ごとの発電量を制御する電文を、発電設備６に送信する。
【００２８】
（Ｂ）入力部２２に対する制御
演算部２６は、入力部２２を制御し、作業者により操作され入力されたデータＧ（出力有効無効電力特性データ）を取得する。
【００２９】
（Ｃ）送受信部２３に対する制御
演算部２６は、送受信部２３を制御し、データＧ（出力有効無効電力特性データ）、データＰ（発電有効電力予測データ）、データＱ（発電無効電力予測データ）を、送電側電力監視制御装置３に送信する。演算部２６は、送受信部２３を制御し、送電側電力監視制御装置３からデータＲ（発電無効電力リクエストデータ）を受信する。
【００３０】
（Ｄ）記憶部２４に対する制御
演算部２６は、記憶部２４を制御し、データＧ（出力有効無効電力特性データ）、データＰ（発電有効電力予測データ）、データＱ（発電無効電力予測データ）の書込み読出しを行う。
【００３１】
（Ｅ）出力部２５に対する制御
演算部２６は、出力部２５を制御し、表示、印刷または電文によりデータＧ（出力有効無効電力特性データ）、データＰ（発電有効電力予測データ）、データＱ（発電無効電力予測データ）を出力する。
【００３２】
（Ｆ）演算部２６による演算
演算部２６は、発電状況に応じ、発電設備６の発電機ごとのデータＧ（出力有効無効電力特性データ）に基づき、単位時間ごとの供給有効電力を予測しデータＰ（発電有効電力予測データ）、単位時間ごとの供給無効電力を予測しデータＱ（発電無効電力予測データ）を作成する。
【００３３】
また、演算部２６は、送電側電力監視制御装置３からのデータＲ（発電無効電力リクエストデータ）に基づき、データＰ（発電有効電力予測データ）、データＱ（発電無効電力予測データ）を更新する。
【００３４】
（３）送電側電力監視制御装置３の構成
送電側電力監視制御装置３は、コンピュータ等により構成される。送電側電力監視制御装置３は、送配電設備７の監視制御を行う電力監視制御盤等に組込まれ、送配電事業者の制御室等に配置される。送電側電力監視制御装置３は、送配電設備７により供給電力の電圧を制御する。
【００３５】
送電側電力監視制御装置３は、発電側電力監視制御装置２から、単位時間ごとの供給有効電力の予測にかかるデータＰ（発電有効電力予測データ）、単位時間ごとの供給無効電力の予測にかかるデータＱ（発電無効電力予測データ）を受信し、データＰによる発電有効電力、データＱによる発電無効電力により、供給電力の電圧が充足されるかの判断を行う。
【００３６】
送電側電力監視制御装置３は、供給電力の電圧が充足されないと判断した場合、発電無効電力を要求するデータＲ（発電無効電力リクエストデータ）を作成し、発電側電力監視制御装置２に送信する。発電側電力監視制御装置２は、データＲ（発電無効電力リクエストデータ）に基づき、データＰ（発電有効電力予測データ）、データＱ（発電無効電力予測データ）を更新し送電側電力監視制御装置３に送信する。
【００３７】
送電側電力監視制御装置３は、入出力部３１、入力部３２、送受信部３３、記憶部３４、出力部３５、演算部３６を有する。送電側電力監視制御装置３の入出力部３１、入力部３２、送受信部３３、記憶部３４、出力部３５、演算部３６のハードウェア的な構成は、発電側電力監視制御装置２の入出力部２１、入力部２２、送受信部２３、記憶部２４、出力部２５、演算部２６と、それぞれ同様である。
【００３８】
（入出力部３１）
入出力部３１は、ローカル通信またはインターネット等の通信回線との送受信回路により構成される。入出力部３１の一方は、演算部３６に接続される。入出力部３１の他方は、伝送線を介し送配電設備７に接続される。入出力部３１は、送配電設備７から変圧器、調相器等の電力を送配電する設備の送配電状況にかかる電文を受信し、演算部３６に出力する。入出力部３１は、演算部３６からの変圧器、調相器等の電力を送配電する設備を制御する電文を、送配電設備７に送信する。
【００３９】
（入力部３２）
入力部３２は、キーボードやマウス等の操作部を有する入力装置により構成される。入力部３２は、演算部３６に接続される。入力部３２は、送電側電力監視制御装置３の一部として、送配電事業者の制御室等に配置される。入力部３２は、作業者により操作され、データＣ（許容コストデータ）が入力される。
【００４０】
（送受信部３３）
送受信部３３は、ローカル通信またはインターネット等の通信回線との送受信回路により構成される。送受信部３３の一方は、演算部３６に接続される。送受信部３３の他方は、伝送線５を介し発電側電力監視制御装置２に接続される。送受信部３３は、発電側電力監視制御装置２からのデータＧ（出力有効無効電力特性データ）、データＰ（発電有効電力予測データ）、データＱ（発電無効電力予測データ）を、受信する。送受信部３３は演算部３６からデータＲ（発電無効電力リクエストデータ）を受信し、発電側電力監視制御装置２に送信する。
【００４１】
（記憶部３４）
記憶部３４は、半導体メモリやハードディスクのような記憶媒体にて構成される。記憶部３４は、演算部３６に接続される。記憶部３４は演算部３６により、データＧ（出力有効無効電力特性データ）、データＰ（発電有効電力予測データ）、データＱ（発電無効電力予測データ）、データＲ（発電無効電力リクエストデータ）、データＣ（許容コストデータ）の書込み読出しが制御される。
【００４２】
（出力部３５）
出力部３５は、液晶パネル等により構成された表示装置、プリンタ等の印刷装置またはインターネット等の通信回線との送受信回路等により構成される。出力部３５は、演算部３６に接続される。出力部３５は、演算部３６に制御され、表示、印刷または電文によりデータＧ（出力有効無効電力特性データ）、データＰ（発電有効電力予測データ）、データＱ（発電無効電力予測データ）、データＲ（発電無効電力リクエストデータ）、データＣ（許容コストデータ）を出力する。
【００４３】
（演算部３６）
演算部３６は、マイクロコンピュータにより構成される。演算部３６は、後述するコンピュータプログラムを内蔵する。演算部３６は、入出力部３１、入力部３２、送受信部３３、記憶部３４、出力部３５に接続される。演算部３６は、以下の演算および制御を行う。
【００４４】
（Ａ）入出力部３１に対する制御
演算部３６は、入出力部３１を制御し、送配電設備７から変圧器、調相器等の電力を送配電する設備の送配電状況にかかる電文を受信する。演算部３６は、入出力部３１を制御し、変圧器、調相器等の電力を送配電する設備を制御する電文を、送配電設備７に送信する。
【００４５】
（Ｂ）入力部３２に対する制御
演算部３６は、入力部３２を制御し、作業者により操作され入力されたデータＣ（許容コストデータ）を取得する。
【００４６】
（Ｃ）送受信部３３に対する制御
演算部３６は、送受信部３３を制御し、発電側電力監視制御装置２からのデータＧ（出力有効無効電力特性データ）、データＰ（発電有効電力予測データ）、データＱ（発電無効電力予測データ）を、受信する。演算部３６は、送受信部３３を制御し、データＲ（発電無効電力リクエストデータ）を発電側電力監視制御装置２に送信する。
【００４７】
（Ｄ）記憶部３４に対する制御
演算部３６は、記憶部３４を制御し、データＧ（出力有効無効電力特性データ）、データＰ（発電有効電力予測データ）、データＱ（発電無効電力予測データ）、データＲ（発電無効電力リクエストデータ）、データＣ（許容コストデータ）の書込み読出しを行う。
【００４８】
（Ｅ）出力部３５に対する制御
演算部３６は、出力部３５を制御し、表示、印刷または電文によりデータＧ（出力有効無効電力特性データ）、データＰ（発電有効電力予測データ）、データＱ（発電無効電力予測データ）、データＲ（発電無効電力リクエストデータ）、データＣ（許容コストデータ）を出力する。
【００４９】
（Ｆ）演算部３６による演算
演算部３６は、単位時間ごとの供給有効電力の予測にかかるデータＰ（発電有効電力予測データ）、単位時間ごとの供給無効電力の予測にかかるデータＱ（発電無効電力予測データ）に基づき、データＰによる発電有効電力、データＱによる発電無効電力により、供給電力の電圧が充足されるかの判断を行う。
【００５０】
送電側電力監視制御装置３は、供給電力の電圧が充足されないと判断した場合、発電無効電力を要求するデータＲ（発電無効電力リクエストデータ）を作成し、発電側電力監視制御装置２に送信する。発電側電力監視制御装置２によりデータＲ（発電無効電力リクエストデータ）に対応して更新されたデータＰ（発電有効電力予測データ）、データＱ（発電無効電力予測データ）を受信する。
【００５１】
以上が、電力監視制御システム１の構成である。
【００５２】
［１−２．作用］
次に、本実施形態の電力監視制御システム１の作用を、図１〜図９に基づき説明する。
【００５３】
発電側電力監視制御装置２は、発電状況に応じ、発電設備６の発電機ごとのデータＧ（出力有効無効電力特性データ）に基づき、単位時間ごとの供給有効電力を予測しデータＰ（発電有効電力予測データ）、単位時間ごとの供給無効電力を予測しデータＱ（発電無効電力予測データ）を作成し、送電側電力監視制御装置３に送信する。
【００５４】
送電側電力監視制御装置３は、発電側電力監視制御装置２から、単位時間ごとの供給有効電力の予測にかかるデータＰ（発電有効電力予測データ）、単位時間ごとの供給無効電力の予測にかかるデータＱ（発電無効電力予測データ）を受信し、データＰによる発電有効電力、データＱによる発電無効電力により、供給電力の電圧が充足されるかの判断を行う。
【００５５】
送電側電力監視制御装置３は、供給電力の電圧が充足されないと判断した場合、発電無効電力を要求するデータＲ（発電無効電力リクエストデータ）を作成し、発電側電力監視制御装置２に送信する。発電側電力監視制御装置２は、データＲ（発電無効電力リクエストデータ）に基づき、データＰ（発電有効電力予測データ）、データＱ（発電無効電力予測データ）を更新し送電側電力監視制御装置３に送信する。
【００５６】
発電側電力監視制御装置２は、送電側電力監視制御装置３からのデータＲ（発電無効電力リクエストデータ）に基づき、データＰ（発電有効電力予測データ）、データＱ（発電無効電力予測データ）を更新し送電側電力監視制御装置３に送信する。
【００５７】
発電側電力監視制御装置２および送電側電力監視制御装置３は、以下の処理を実行する。発電側電力監視制御装置２の演算部２６は、図３に示すプログラムに従って動作を行う。図３に示すプログラムは、発電側電力監視制御装置２の演算部２６に内蔵される。図３に示すプログラムは、発電側電力監視制御装置２の演算部２６により、一定周期ごとに繰り返し継続的に実行される。
【００５８】
送電側電力監視制御装置３の演算部３６は、図４に示すプログラムに従って動作を行う。図４に示すプログラムは、送電側電力監視制御装置３の演算部３６に内蔵される。図４に示すプログラムは、送電側電力監視制御装置３の演算部３６により、一定周期ごとに繰り返し継続的に実行される。
【００５９】
（発電側電力監視制御装置２のステップＳ０１：データＧ（出力有効無効電力特性データ）を参照する）
最初に発電側電力監視制御装置２の演算部２６は、データＧ（出力有効無効電力特性データ）を参照する。データＧ（出力有効無効電力特性データ）は、作業者により入力部２２を介して入力され、発電側電力監視制御装置２の記憶部２４に記憶されている。または、データＧ（出力有効無効電力特性データ）は、発電事業者が所有する発電側電力監視制御装置２外部の記憶装置に記憶されていてもよい。
【００６０】
データＧ（出力有効無効電力特性データ）は、発電事業者が所有する水力発電機、火力発電機、原子力発電機等の電力を発電する発電設備６にかかる複数の発電機ごとの出力可能な有効電力および無効電力の特性を示すデータである。データＧ（出力有効無効電力特性データ）は、例えば出力している有効電力に応じ、複数の発電機の最大出力皮相電力との関係で時々刻々更新されるものであってもよい。
【００６１】
（発電側電力監視制御装置２のステップＳ０２：データＰ（発電有効電力予測データ）を作成する）
発電側電力監視制御装置２の演算部２６は、単位時間ごとの供給有効電力を予測し、データＰ（発電有効電力予測データ）を作成する。データＰ（発電有効電力予測データ）は、発電設備６の複数の発電機ごとに作成される。
【００６２】
発電設備６により発電される時刻が、翌日以後である場合、データＰ（発電有効電力予測データ）は、過去の供給有効電力の実績データに基づき、単位時間ごとの供給有効電力が予測され、発電設備６の複数の発電機ごとに作成される。過去の供給有効電力の実績は、発電側電力監視制御装置２の記憶部２４に記憶されている。または、過去の供給有効電力の実績は、通信等により外部装置から受信されるものであってもよい。
【００６３】
発電設備６により発電される時刻が、数分〜数時間後である場合、データＰ（発電有効電力予測データ）は、発電設備６の発電機ごとの発電状況にかかる電文に基づき、単位時間ごとの供給有効電力が予測され、発電設備６の複数の発電機ごとに作成される。発電機ごとの発電状況にかかる電文は、入出力部２１により受信される。発電設備６の発電機ごとの発電状況にかかる電文は、実際に発電を行っている発電機の、現在までの発電量および制御量を含む。
【００６４】
データＰ（発電有効電力予測データ）は、図５に示すように、発電設備６の複数の発電機ごとに作成される。データＰ（発電有効電力予測データ）は、図６に示すように、発電側電力監視制御装置２の演算部２６により、単位時間ごとの供給有効電力が予測され、発電コストが最適となるように作成される。
【００６５】
単位時間ごとの供給有効電力の予測は、過去の供給有効電力の実績データ、前回作成されたデータＰ（発電有効電力予測データ）および、または発電設備６の発電機ごとの発電状況にかかる電文に基づき算出される。単位時間ごとの供給有効電力の予測は、図６に示すように前日需要予測と当日実績との差分に基づき、算出される。データＰ（発電有効電力予測データ）は、発電設備６の複数の発電機ごとの供給力を含め作成される。
【００６６】
（発電側電力監視制御装置２のステップＳ０３：データＱ（発電無効電力予測データ）を作成する）
発電側電力監視制御装置２の演算部２６は、単位時間ごとの供給無効電力を予測し、データＱ（発電無効電力予測データ）を作成する。データＱ（発電無効電力予測データ）は、発電設備６の複数の発電機ごとに作成される。
【００６７】
発電設備６により発電される時刻が、翌日以後である場合、データＱ（発電無効電力予測データ）は、過去の供給無効電力の実績データに基づき、単位時間ごとの供給無効電力が予測され、発電設備６の複数の発電機ごとに作成される。過去の供給無効電力の実績は、発電側電力監視制御装置２の記憶部２４に記憶されている。または、過去の供給無効電力の実績は、通信等により外部装置から受信されるものであってもよい。
【００６８】
発電設備６により発電される時刻が、数分〜数時間後である場合、データＱ（発電無効電力予測データ）は、発電設備６の発電機ごとの発電状況にかかる電文に基づき、単位時間ごとの供給無効電力が予測され、発電設備６の複数の発電機ごとに作成される。発電機ごとの発電状況にかかる電文は、入出力部２１により受信される。発電設備６の発電機ごとの発電状況にかかる電文は、実際に発電を行っている発電機の、現在までの発電量および制御量を含む。
【００６９】
単位時間ごとの供給無効電力の予測は、過去の供給無効電力の実績データ、前回作成されたデータＱ（発電無効電力予測データ）および、または発電設備６の発電機ごとの発電状況にかかる電文に基づき算出される。単位時間ごとの供給無効電力の予測は、前日需要予測と当日実績との差分に基づき、算出される。データＱ（発電無効電力予測データ）は、発電設備６の複数の発電機ごとの供給力を含め作成される。
【００７０】
なお、発電設備６により発電される時刻が、翌日以後である場合、データＱ（発電無効電力予測データ）は、作成されない場合がある。
【００７１】
（発電側電力監視制御装置２のステップＳ０４：データＧ、データＰ、データＱを送信する）
次に、発電側電力監視制御装置２の演算部２６は、送受信部２３を制御し送電側電力監視制御装置３に対し、データＧ（出力有効無効電力特性データ）、データＰ（発電有効電力予測データ）、データＱ（発電無効電力予測データ）を送信する。各データは、発電側電力監視制御装置２の演算部２６から、伝送線５を介し、ローカル通信にて送信される。
【００７２】
データＰ（発電有効電力予測データ）、データＱ（発電無効電力予測データ）には、電力コストにかかるデータが含まれる。
【００７３】
なお、発電設備６により発電される時刻が、翌日以後である場合、データＱ（発電無効電力予測データ）は、送信されない場合がある。
【００７４】
（送電側電力監視制御装置３のステップＲ０１：データＧ、データＰ、データＱを受信する）
次に送電側電力監視制御装置３の演算部３６は、送受信部３３を制御し発電側電力監視制御装置２からデータＧ（出力有効無効電力特性データ）、データＰ（発電有効電力予測データ）、データＱ（発電無効電力予測データ）を受信する。
【００７５】
（送電側電力監視制御装置３のステップＲ０２：供給電力の電圧が充足されるかの判断を行う）
送電側電力監視制御装置３の演算部３６は、単位時間ごとの供給有効電力の予測にかかるデータＰ（発電有効電力予測データ）、単位時間ごとの供給無効電力の予測にかかるデータＱ（発電無効電力予測データ）に基づき、データＰによる発電有効電力、データＱによる発電無効電力により、供給電力の電圧が充足されるかの判断を行う。
【００７６】
送電側電力監視制御装置３の演算部３６が、供給電力の電圧が充足されると判断した場合（ステップＲ０２のＹＥＳ）、ステップＲ０７に移行する。演算部３６が、供給電力の電圧が充足されると判断しない場合（ステップＲ０２のＮＯ）、ステップＲ０３に移行する。
【００７７】
（送電側電力監視制御装置３のステップＲ０３：データＲ（発電無効電力リクエストデータ）を作成し、送信する）
ステップＲ０２にて供給電力の電圧が充足されると判断されない場合、送電側電力監視制御装置３の演算部３６は、データＲ（発電無効電力リクエストデータ）を作成し、発電側電力監視制御装置２に送信する。また、データＱ（発電無効電力予測データ）が、発電側電力監視制御装置２から送信されない場合も、送電側電力監視制御装置３の演算部３６は、データＲ（発電無効電力リクエストデータ）を作成し、発電側電力監視制御装置２に送信する。
【００７８】
データＲ（発電無効電力リクエストデータ）は、発電設備６の複数の発電機ごとの、単位時間ごとの出力無効電力をリクエストするデータである。データＲ（発電無効電力リクエストデータ）は、発電側電力監視制御装置２から送信されたデータＧ（出力有効無効電力特性データ）、データＰ（発電有効電力予測データ）、データＱ（発電無効電力予測データ）に基づき、発電側電力監視制御装置２の演算部２６により、単位時間ごとの供給無効電力が予測され作成される。
【００７９】
送電側電力監視制御装置３の演算部３６は、入出力部３１を制御し、送配電設備７から変圧器、調相器等の電力を送配電する設備の送配電状況にかかる電文を受信する。受信した、電力を送配電する設備の送配電状況にかかる電文に基づき、送電側電力監視制御装置３の演算部３６は、送配電設備７の制御をシミュレートする。シミュレートは、数時間単位の電力系統の変化につき、電力系統解析による電圧制御コスト最適化計算を用い、送配電設備７にかかる変電所の変圧器のタップや調相設備の投入、開放のシミュレーションすることにより行われる。
【００８０】
送電側電力監視制御装置３の演算部３６は、受信したデータＲ（発電無効電力リクエストデータ）に基づき、図７に示す電圧制御のシミュレートを行う。電圧制御は、リアルタイムで現在の電力系統、あるいは数分先の電力系統に対し行われる。電圧制御は、電力系統維持を一つの目的とした系統電圧無効電力制御（ＶＱＣ）、電圧制御コスト最適化制御により行われる。
【００８１】
系統電圧無効電力制御（ＶＱＣ）は、電力監視制御システム１が管理、管轄する電力系統の系統電圧維持をひとつの目的としている。系統電圧維持は、管轄の電力系統の複数の監視点（ｉ）の系統電圧が、監視点毎に決められた基準電圧（Ｖｒｅｆｉ）に維持されるように行われる。系統電圧維持は、電圧無効電力制御機器（発電機、調相設備、変圧器等）が制御されることにより行われる。
【００８２】
図７の例では、基準電圧２７５ｋｖであり、許容幅（Ｅｐｓｉ）２ｋＶ以内で系統電圧を収める制御を行う。
【００８３】
送電側電力監視制御装置３の演算部３６は、対象となる時間帯に必要となる無効電力を予測する。必要となる無効電力は、供給電力の電圧が充足される無効電力である。
【００８４】
送電側電力監視制御装置３の演算部３６は、データＧ（出力有効無効電力特性データ）に基づき、データＱ（発電無効電力予測データ）にかかる無効電力の不足分を発電設備６の複数の発電機に対し配分する。データＲ（発電無効電力リクエストデータ）は、データＱ（発電無効電力予測データ）にかかる無効電力の不足分が、送電側電力監視制御装置３の演算部３６により、発電設備６の複数の発電機に対し再配分されることにより作成される。
【００８５】
送電側電力監視制御装置３の演算部３６は、系統電圧無効電力制御（ＶＱＣ）によりデータＲ（発電無効電力リクエストデータ）を作成し、発電側電力監視制御装置２に送信する。
【００８６】
作成されたデータＲ（発電無効電力リクエストデータ）は、送電側電力監視制御装置３の送受信部３３から伝送線５を介し、発電側電力監視制御装置２に送信される。なお、データＲ（発電無効電力リクエストデータ）は、シミュレートにより送配電設備７の制御のみで供給電力の電圧が充足されると、送電側電力監視制御装置３の演算部３６が判断した場合、送信されない場合がある。
【００８７】
（発電側電力監視制御装置２のステップＳ０５：データＲ（発電無効電力リクエストデータ）を受信したかの判断を行う）
発電側電力監視制御装置２の演算部２６は、送電側電力監視制御装置３からデータＲ（発電無効電力リクエストデータ）を受信したかの判断を行う。データＲ（発電無効電力リクエストデータ）は、発電側電力監視制御装置２の送受信部２３により受信される。
【００８８】
発電側電力監視制御装置２の演算部２６が、データＲ（発電無効電力リクエストデータ）を受信したと判断した場合（ステップＳ０５のＹＥＳ）、ステップＳ０６に移行する。演算部２６が、データＲ（発電無効電力リクエストデータ）を受信したと判断しない場合（ステップＳ０５のＮＯ）、ステップＳ０９に移行する。
【００８９】
（発電側電力監視制御装置２のステップＳ０６：データＰ、データＱを更新し、送信する）
ステップＳ０５にてデータＲ（発電無効電力リクエストデータ）を受信したと判断された場合、発電側電力監視制御装置２の演算部２６は、データＰ（発電有効電力予測データ）、データＱ（発電無効電力予測データ）を更新し、送電側電力監視制御装置３に再度送信する。
【００９０】
発電側電力監視制御装置２の演算部２６は、データＲ（発電無効電力リクエストデータ）に基づき、データＰ（発電有効電力予測データ）、データＱ（発電無効電力予測データ）を更新する。データＲ（発電無効電力リクエストデータ）は、発電設備６の発電機ごとの無効電力の発電量を含む。無効電力を必要とする送配電設備７の近傍に配置された発電設備６から、無効電力の供給を受けることが効率的である。このため、送電側電力監視制御装置３の演算部２６は、発電設備６の発電機ごとの無効電力の発電量を指定し、データＲ（発電無効電力リクエストデータ）を作成する。
【００９１】
発電側電力監視制御装置２の演算部２６は、無効電力の総発電量が、データＲ（発電無効電力リクエストデータ）にかかる無効電力の総発電量と一致するように、発電設備６の発電機ごとに無効電力の発電量を再配分し、データＱ（発電無効電力予測データ）を作成する。データＱ（発電無効電力予測データ）は、データＲ（発電無効電力リクエストデータ）に沿い、作成される。しかしながら発電設備６による無効電力の発電量は、発電設備６の発電機ごとの発電能力、発電事業者から見た発電コストに左右される。このため、データＱ（発電無効電力予測データ）は、データＲ（発電無効電力リクエストデータ）と必ずしも一致しない。
【００９２】
無効電力の発電量が発電設備６の発電機ごとに再配分され、データＱ（発電無効電力予測データ）が、作成される。これに伴い、発電能力に応じ、有効電力の発電量が発電設備６の発電機ごとに再配分され、データＰ（発電有効電力予測データ）が作成される。データＰ（発電有効電力予測データ）、データＱ（発電無効電力予測データ）は、発電設備６の発電機ごとの発電能力、燃料コストや運転コスト等の発電事業者から見た発電コストが考慮され作成される。有効電力の発電量の再配分、無効電力の発電量の再配分の様子を図９に示す。
【００９３】
更新により作成されたデータＰ（発電有効電力予測データ）、データＱ（発電無効電力予測データ）は、発電側電力監視制御装置２の送受信部２３から、伝送線５を介し送電側電力監視制御装置３に送信される。
【００９４】
（送電側電力監視制御装置３のステップＲ０４：更新されたデータＰ、データＱを受信する）
次に送電側電力監視制御装置３の演算部３６は、送受信部３３を制御し発電側電力監視制御装置２から更新されたデータＰ（発電有効電力予測データ）、データＱ（発電無効電力予測データ）を受信する。
【００９５】
（送電側電力監視制御装置３のステップＲ０５：コスト差分はデータＣ（許容コストデータ）以内かの判断を行う）
次に送電側電力監視制御装置３の演算部３６は、送信したデータＲ（発電無効電力リクエストデータ）にかかる電力と、発電側電力監視制御装置２からの更新されたデータＰ（発電有効電力予測データ）、データＱ（発電無効電力予測データ）にかかる電力との電力コストの差分が、予め設定されたデータＣ（許容コストデータ）以内であるかの判断を行う。データＣ（許容コストデータ）は、入力部３２から作業者により入力される。
【００９６】
送信したデータＲ（発電無効電力リクエストデータ）にかかる電力と、更新されたデータＰ（発電有効電力予測データ）、データＱ（発電無効電力予測データ）にかかる電力との電力コストの差分を算出し、送電側電力監視制御装置３の演算部３６は、発電事業者の発電量の計画値、制御値および電力コストを評価する。
【００９７】
発電側電力監視制御装置２により、無効電力の発電量が発電設備６の発電機ごとに再配分され、データＱ（発電無効電力予測データ）が、作成される。これに伴い、発電能力に応じ、有効電力の発電量が発電設備６の発電機ごとに再配分され、データＰ（発電有効電力予測データ）が作成される。
【００９８】
データＰ（発電有効電力予測データ）にかかる発電量は、発電設備６の発電機に再配分されており、送電側電力監視制御装置３の演算部３６がステップＲ０３において送信したデータＲ（発電無効電力リクエストデータ）にかかる電力コストより高価となっていることが想定される。送電側電力監視制御装置３の演算部３６は、発電事業者の発電量の計画値、制御値および電力コストを評価する。
【００９９】
演算部３６が、コスト差分がデータＣ（許容コストデータ）以内であると判断した場合（ステップＲ０５のＹＥＳ）、ステップＲ０７に移行する。演算部３６が、コスト差分がデータＣ（許容コストデータ）以内であると判断しない場合（ステップＲ０５のＮＯ）、ステップＲ０６に移行する。
【０１００】
（送電側電力監視制御装置３のステップＲ０６：データＲ（発電無効電力リクエストデータ）を更新し、送信する）
ステップＲ０５にてコスト差分がデータＣ（許容コストデータ）以内であると判断されない場合、送電側電力監視制御装置３の演算部３６は、データＲ（発電無効電力リクエストデータ）を更新し、発電側電力監視制御装置２に送信する。
【０１０１】
送電側電力監視制御装置３の演算部３６は、ステップＲ０３にて送信したデータＲ（発電無効電力リクエストデータ）にかかる電力と、電力コスト差分がデータＣ（許容コストデータ）以内となるようにデータＲ（発電無効電力リクエストデータ）を更新する。
【０１０２】
データＲ（発電無効電力リクエストデータ）は、ステップＲ０４にて受信したデータＰ（発電有効電力予測データ）、データＱ（発電無効電力予測データ）およびデータＰ（発電有効電力予測データ）、データＱ（発電無効電力予測データ）に含まれる電力コストにかかるデータに基づき、発電設備６の発電機ごとに供給有効電力、供給無効電力および電力コストが予測され作成される。
【０１０３】
送電側電力監視制御装置３の演算部３６は、電圧制御コスト最適化制御によりデータＲ（発電無効電力リクエストデータ）を更新して作成し、発電側電力監視制御装置２に送信する。
【０１０４】
更新して作成されたデータＲ（発電無効電力リクエストデータ）は、送電側電力監視制御装置３の送受信部３３から伝送線５を介し、発電側電力監視制御装置２に送信される。
【０１０５】
（ステップＳ０７：データＲ（発電無効電力リクエストデータ）を受信したかの判断を行う）
発電側電力監視制御装置２の演算部２６は、送電側電力監視制御装置３から更新されたデータＲ（発電無効電力リクエストデータ）を受信したかの判断を行う。
【０１０６】
発電側電力監視制御装置２の演算部２６が、データＲ（発電無効電力リクエストデータ）を受信したと判断した場合（ステップＳ０７のＹＥＳ）、ステップＳ０８に移行する。演算部２６が、データＲ（発電無効電力リクエストデータ）を受信したと判断しない場合（ステップＳ０７のＮＯ）、ステップＳ０９に移行する。
【０１０７】
（発電側電力監視制御装置２のステップＳ０８：データＰ、データＱを更新し、送信する）
ステップＳ０７にて更新されたデータＲ（発電無効電力リクエストデータ）を受信したと判断された場合、発電側電力監視制御装置２の演算部２６は、データＰ（発電有効電力予測データ）、データＱ（発電無効電力予測データ）を更新し、送電側電力監視制御装置３に再度送信する。
【０１０８】
発電側電力監視制御装置２の演算部２６は、データＲ（発電無効電力リクエストデータ）に基づき、データＰ（発電有効電力予測データ）、データＱ（発電無効電力予測データ）をさらに更新する。データＲ（発電無効電力リクエストデータ）は、発電設備６の発電機ごとに供給有効電力、供給無効電力および電力コストを含む。
【０１０９】
発電側電力監視制御装置２の演算部２６は、発電設備６の発電機ごとの供給有効電力、供給無効電力にかかる電力コストが、ステップＳ０７にて受信したデータＲ（発電無効電力リクエストデータ）に近くなるように、データＰ（発電有効電力予測データ）、データＱ（発電無効電力予測データ）を更新する。
【０１１０】
発電側電力監視制御装置２の演算部２６は、差分評価手法により、データＰ（発電有効電力予測データ）、データＱ（発電無効電力予測データ）を更新する。差分評価手法は、データＲ（発電無効電力リクエストデータ）、データＰ（発電有効電力予測データ）、データＱ（発電無効電力予測データ）に基づき、経済配分ができない場合の計画値および制御値、電力コストについて、経済配分時との差分を評価する手法である。
【０１１１】
発電側電力監視制御装置２の演算部２６は、図８に示すように時々刻々と変化する自社の需要電力に追従して需給バランスを保ち、かつ、コストを最小化するために自社の発電設備６の発電機の有効電力の経済配分を行う。
【０１１２】
一方、送電側電力監視制御装置３は系統電圧、周波数、有効潮流の適正化を目的としてデータＲ（発電無効電力リクエストデータ）の作成を行う。データＲ（発電無効電力リクエストデータ）は、供給電力の電圧が充足されるのに必要となる無効電力の発電量であって、送電側電力監視制御装置３側から見て経済的となる有効電力、無効電力の配分を、送電側電力監視制御装置３がリクエストするものである。このためデータＲ（発電無効電力リクエストデータ）は、発電側電力監視制御装置２側から見た経済配分と合致しない。
【０１１３】
このため、発電側電力監視制御装置２の演算部２６は、差分評価手法により、データＰ（発電有効電力予測データ）、データＱ（発電無効電力予測データ）を更新する。
【０１１４】
更新により作成されたデータＰ（発電有効電力予測データ）、データＱ（発電無効電力予測データ）は、発電側電力監視制御装置２の送受信部２３から、伝送線５を介し送電側電力監視制御装置３に送信される。
【０１１５】
（送電側電力監視制御装置３のステップＲ０４、Ｒ０５：データＰ、データＱを受信し、コスト差分はデータＣ以内か判断する）
その後、送電側電力監視制御装置３の演算部３６により、ステップＲ０４、ステップＲ０５が再度実行される。ステップＲ０４にて、送電側電力監視制御装置３の演算部３６は、再度更新されたデータＰ（発電有効電力予測データ）、データＱ（発電無効電力予測データ）を受信する。
【０１１６】
ステップＲ０５にて送電側電力監視制御装置３の演算部３６は、前回ステップＲ０６にて送信したデータＲ（発電無効電力リクエストデータ）にかかる電力と、発電側電力監視制御装置２からの再度更新されたデータＰ（発電有効電力予測データ）、データＱ（発電無効電力予測データ）にかかる電力との電力コストの差分が、予め設定されたデータＣ（許容コストデータ）以内であるかの判断を行う。
【０１１７】
演算部３６が、コスト差分がデータＣ（許容コストデータ）以内であると判断した場合（ステップＲ０５のＹＥＳ）、ステップＲ０７に移行する。演算部３６が、コスト差分がデータＣ（許容コストデータ）以内であると判断しない場合（ステップＲ０５のＮＯ）、ステップＲ０６に移行し、再度データＲ（発電無効電力リクエストデータ）が更新され、発電側電力監視制御装置２に送信される。
【０１１８】
（送電側電力監視制御装置３のステップＲ０７：コマンドＡ（了解コマンド）を送信する）
ステップＲ０５にてコスト差分がデータＣ（許容コストデータ）以内であると判断された場合、送電側電力監視制御装置３の演算部３６は、コマンドＡ（了解コマンド）を、発電側電力監視制御装置２に送信する。
【０１１９】
（送電側電力監視制御装置３のステップＲ０８：データＧ、データＰ、データＱ、データＲ、データＣを出力する）
次に、送電側電力監視制御装置３の演算部３６は、出力部３５を制御し、表示、印刷または電文によりデータＧ（出力有効無効電力特性データ）、データＰ（発電有効電力予測データ）、データＱ（発電無効電力予測データ）、データＲ（発電無効電力リクエストデータ）、データＣ（許容コストデータ）を出力する。その後、送電側電力監視制御装置３の演算部３６は、一連のプログラムを終了する。
【０１２０】
ステップＲ０５にて、コスト差分がデータＣ（許容コストデータ）以内であると判断されない場合（ステップＲ０５のＮＯ）、ステップＲ０６により、再度データＲ（発電無効電力リクエストデータ）が更新され、発電側電力監視制御装置２に送信される。
【０１２１】
この場合、発電側電力監視制御装置２の演算部２６は、ステップＳ０７によるデータＲ（発電無効電力リクエストデータ）の受信、ステップＳ０８によるデータＰ（発電有効電力予測データ）、データＱ（発電無効電力予測データ）の更新および送信を、ステップＳ０９にてコマンドＡ（了解コマンド）を受信するまで継続して行う。
【０１２２】
（発電側電力監視制御装置２のステップＳ０９：コマンドＡ（了解コマンド）を受信したかの判断を行う）
発電側電力監視制御装置２の演算部２６は、送電側電力監視制御装置３からコマンドＡ（了解コマンド）を受信したかの判断を行う。
【０１２３】
発電側電力監視制御装置２の演算部２６が、コマンドＡ（了解コマンド）を受信したと判断した場合（ステップＳ０９のＹＥＳ）、ステップＳ１０に移行する。演算部２６が、コマンドＡ（了解コマンド）を受信したと判断しない場合（ステップＳ０９のＮＯ）、ステップＳ０７に移行し、データＲ（発電無効電力リクエストデータ）の受信待ち状態となる。
【０１２４】
（発電側電力監視制御装置２のステップＳ１０：データＧ、データＰ、データＱ、データＲ、データＣを出力する）
次に、発電側電力監視制御装置２の演算部２６は、出力部２５を制御し、表示、印刷または電文によりデータＧ（出力有効無効電力特性データ）、データＰ（発電有効電力予測データ）、データＱ（発電無効電力予測データ）、データＲ（発電無効電力リクエストデータ）、データＣ（許容コストデータ）を出力する。
【０１２５】
（発電側電力監視制御装置２のステップＳ１１：発電設備６の制御を行う）
次に、発電側電力監視制御装置２の演算部２６は、入出力部２１を制御し、データＰ（発電有効電力予測データ）、データＱ（発電無効電力予測データ）に基づく発電機ごとの発電量を制御する電文を発電設備６に送信し、発電設備６の制御を行う。その後、発電側電力監視制御装置２の演算部２６は、一連のプログラムを終了する。
【０１２６】
以上が、電力監視制御システム１にかかる発電側電力監視制御装置２、送電側電力監視制御装置３の動作である。上記の動作により電力供給線９における供給電力の電圧が確保される。
【０１２７】
［１−３．効果］
（１）本実施形態によれば、電力監視制御システム１は、供給電力を送配電設備に出力する複数の発電機の出力有効無効電力特性データに基づき、単位時間ごとの供給有効電力を予測し、複数の発電機ごとの発電有効電力予測データを作成し、単位時間ごとの供給無効電力を予測し、複数の発電機ごとの発電無効電力予測データを作成し、発電有効電力予測データおよび発電無効電力予測データを送信する、発電側電力監視制御装置２と、発電側電力監視制御装置から送信された発電有効電力予測データおよび発電無効電力予測データに基づき、送配電設備における供給電力の電圧を充足する、単位時間ごとの供給無効電力を予測し、発電無効電力リクエストデータを作成し送信する、送電側電力監視制御装置３と、を有し、発電側電力監視制御装置２は、送電側電力監視制御装置３から送信された発電無効電力リクエストデータに基づき、発電有効電力予測データおよび発電無効電力予測データを更新し、送電側電力監視制御装置３に送信するので、複数の発電機の発電電力を調整することにより、供給電力の電圧を適正に調整し、より適切な電力品質の管理を行うことができる電力監視制御システム、発電側電力監視制御装置および送電側電力監視制御装置を提供することができる。
【０１２８】
発電側電力監視制御装置２は、送電側電力監視制御装置３から送信された発電無効電力リクエストデータに基づき、不足する発電無効電力を予測し、発電有効電力予測データおよび発電無効電力予測データを更新するので、供給電力の電圧を適切に維持することができる。
【０１２９】
（２）本実施形態によれば、送電側電力監視制御装置３は、複数の発電機の出力有効無効電力特性データに基づき複数の発電機ごとに発電無効電力リクエストデータを作成するので、発電側電力監視制御装置２に効率的な発電をリクエストすることができる。
【０１３０】
供給電力の電圧を適切に維持するためには、無効電力を必要とする送配電設備７の近傍に配置された発電設備６から、無効電力の供給を受けることが効率的である。このため、送電側電力監視制御装置３は、発電設備６の発電機ごとの無効電力の発電量を指定し、データＲ（発電無効電力リクエストデータ）を作成する。発電側電力監視制御装置２は、送電側電力監視制御装置３から送信された発電無効電力リクエストデータに基づき、発電有効電力予測データおよび発電無効電力予測データを更新する。その結果、電力監視制御システム１は、供給電力の電圧を適切に維持することができる。
【０１３１】
（３）本実施形態によれば、発電側電力監視制御装置２は、複数の発電機の出力有効無効電力特性データを、送電側電力監視制御装置３に送信するので、送電側電力監視制御装置３は、複数の発電機の出力有効無効電力特性データに基づき複数の発電機ごとに発電無効電力リクエストデータを作成することができる。その結果、送電側電力監視制御装置３は、発電側電力監視制御装置２に効率的な発電をリクエストすることがきる。
【０１３２】
（４）本実施形態によれば、発電側電力監視制御装置２は、過去の供給有効電力の実績に基づき、単位時間ごとの供給有効電力を予測し、発電有効電力予測データを作成し、過去の供給無効電力の実績に基づき、単位時間ごとの供給無効電力を予測し、発電無効電力予測データを作成するので、発電側電力監視制御装置２は、精度よく単位時間ごとの供給有効電力、供給無効電力を予測することができる。その結果、電力監視制御システム１は、供給電力の電圧を適切に維持することができる。
【０１３３】
（５）本実施形態によれば、発電側電力監視制御装置２は、制御対象となる複数の発電機の発電状況に応じ、単位時間ごとの供給有効電力を予測し、複数の発電機ごとの発電有効電力予測データを作成または更新し、制御対象となる複数の発電機の発電状況に応じ、単位時間ごとの供給無効電力を予測し、複数の発電機ごとの発電無効電力予測データを作成または更新するので、発電側電力監視制御装置２は、より精度よく単位時間ごとの供給有効電力、供給無効電力を予測することができる。その結果、電力監視制御システム１は、供給電力の電圧を適切に維持することができる。
【０１３４】
（６）本実施形態によれば、送電側電力監視制御装置３は、発電無効電力リクエストデータに基づく電力と、発電側電力監視制御装置２から送信された発電有効電力予測データおよび発電無効電力予測データに基づく電力との、電力コストの差分を算出し、電力コストの差分が予め設定された値以上の場合、発電無効電力リクエストデータを更新して発電側電力監視制御装置に送信するので、電力コストを抑えることができ、経済的な電力の供給を行うことができる。
【０１３５】
［他の実施形態］
本発明の変形例を含めた実施形態を説明したが、これらの実施形態は例として提示したものであって、発明の範囲を限定することを意図していない。これら実施形態は、その他の様々な形態で実施されることが可能であり、発明の要旨を逸脱しない範囲で、種々の省略や置き換え、変更を行うことができる。これらの実施形態やその変形は、発明の範囲や要旨に含まれると同様に、特許請求の範囲に記載された発明とその均等の範囲に含まれるものである。以下は、その一例である。
【０１３６】
（１）上記実施形態では、データＰ（発電有効電力予測データ）、データＱ（発電無効電力予測データ）は、発電機ごとの供給有効電力の予測にかかるデータ、供給無効電力の予測にかかるデータであるものとした。しかしながら、データＰ（発電有効電力予測データ）、データＱ（発電無効電力予測データ）は、対象となる送配電事業者の電力系統全体の供給有効電力の予測にかかるデータ、供給無効電力の予測にかかるデータであってもよい。
【０１３７】
（２）上記実施形態では、データＧ（出力有効無効電力特性データ）は、発電側電力監視制御装置２の入力部２２に、データＣ（許容コストデータ）は、送電側電力監視制御装置３の入力部３２に作業者により入力されるものとした。しかしながら、データＧ（出力有効無効電力特性データ）は、送受信部２３を介し、または記憶部２４に直接設定されるようにしてもよい。データＣ（許容コストデータ）は、送受信部３３を介し、または記憶部３４に直接設定されるようにしてもよい。
【符号の説明】
【０１３８】
１・・・電力監視制御システム
２・・・発電側電力監視制御装置
３・・・送電側電力監視制御装置
５・・・伝送線
６・・・発電設備
７・・・送配電設備
８・・・負荷
９・・・電力供給線
２１，３１・・・入出力部
２２，３２・・・入力部
２３，３３・・・送受信部
２４，３４・・・記憶部
２５，３５・・・出力部
２６，３６・・・演算部
【図１】
2020014297.tif 000003
【図２】
2020014297.tif 000004
【図３】
2020014297.tif 000005
【図４】
2020014297.tif 000006
【図５】
2020014297.tif 000007
【図６】
2020014297.tif 000008
【図７】
2020014297.tif 000009
【図８】
2020014297.tif 000010
【図９】
2020014297.tif 000011